(57)【要約】【課題】安全性を向上させた移動体のためのＧＰＳ機能付鍵システム等を提供する。【解決手段】移動体３の錠５を施錠する際、位置情報入力装置７により利用者は錠５の開錠を許可する位置情報を入力する。位置情報入力装置７は、移動体３の錠５と通信し、入力された位置情報を送り、移動体３の錠５は位置情報入力装置７から受信した位置情報をメモリ２３の登録緯度３２、登録経度３３に記憶する。移動体３の錠５を開錠する場合、利用者が鍵９を用いて錠５を開錠しようとすると、錠５の制御部２１は、ＧＰＳ機能部２２によりＧＰＳ衛星１１からの電波を受信し、現在の位置を計算する。移動体３の錠５の制御部２１は、計算した現在位置情報と、メモリ２３の登録緯度３２、登録経度３３を比較し、一致するかどうか判定し、一致した場合は錠５の制御部２１は開錠するが、一致しない場合は開錠しない。【選択図】図１
2011074597.tif 000002
【特許請求の範囲】
【請求項１】
ＧＰＳ機能を持つ錠を有する移動体と、位置情報入力装置とからなるＧＰＳ機能付鍵システムであって、
前記位置情報入力装置は、
前記移動体の前記錠の開錠を許可する位置を示す登録位置情報を入力する手段と、
前記登録位置情報を前記錠に送る手段と、
を具備し、
前記錠は、
前記登録位置情報を保持する手段と、
ＧＰＳ衛星からの信号を受信し、現在位置情報を計算する手段と、
前記現在位置情報と前記登録位置情報とが、ＧＰＳの誤差の範囲内で一致する場合、開錠を許可する手段と、
を具備することを特徴とするＧＰＳ機能付鍵システム。
【請求項２】
前記位置情報入力装置は、緯度、経度を入力することにより前記登録位置情報を入力することを特徴とする請求項１記載のＧＰＳ機能付鍵システム。
【請求項３】
前記位置情報入力装置は、地図データを表示し、前記地図データ上で指定された位置を登録位置情報として入力することを特徴とする請求項１記載のＧＰＳ機能付鍵システム。
【請求項４】
移動体のＧＰＳ機能付錠であって、
位置情報入力装置から受信した開錠を許可する位置を示す登録位置情報を保持する手段と、
ＧＰＳ衛星からの信号を受信し、現在位置情報を計算する手段と、
前記現在位置情報と前記登録位置情報とが、ＧＰＳの誤差の範囲内で一致する場合、開錠を許可する手段と、
を具備することを特徴とするＧＰＳ機能付錠。
【発明の詳細な説明】
【技術分野】
【０００１】
本発明は、移動体のためのＧＰＳ（Ｇｌｏｂａｌ  Ｐｏｓｉｔｉｏｎｉｎｇ  Ｓｙｓｔｅｍ）機能付鍵システム等に関する。
【背景技術】
【０００２】
個人情報を記憶したメディアを格納するジュラルミンケース、現金輸送のためのケース、あるいは旅行用のスーツケースのような移動体では、従来、物理的な鍵を使用していた。
近年、紛失や盗難のおそれがある物理的な鍵を用いないで電子的な操作で錠の開閉を行う電子錠の使用が増加し、予め登録された暗証番号を用いることによって施錠や開錠が行われる方法も増加している。しかし、暗証番号を用いた方法では、例えば、暗証番号が盗まれたり、あるいは、暗証番号を探し出したりすることにより開錠できることがあるため、安全性の点において問題がある。
【０００３】
特許文献１では、ボックスの電子錠の制御システムにおいて、利用者は暗証番号や個人ＩＤ（ｉｄｅｎｔｉｆｉｃａｔｉｏｎ）情報等を格納した識別カードを保持し、利用者の個人ＩＤ情報とその個人ＩＤ情報にリンクする個人識別情報と電子錠の状態管理情報とを格納し、通信ネットワークを介して電子錠の開閉の状態を監視し、格納されている電子錠の状態管理情報に基づいて、電子錠を備えたボックスの制御部でＩＤカードリーダ等により読み取った個人ＩＤ情報等を用いて電子錠の開閉の条件を指示するという方法が開示されている。
【先行技術文献】
【特許文献】
【０００４】
【特許文献１】特開２００１−３２３６９６号公報
【発明の概要】
【発明が解決しようとする課題】
【０００５】
しかしながら、特許文献１に記載の方法では、個人を識別する識別カードや暗証番号が盗まれてしまった場合、電子錠を開錠されてしまう。また、悪意のある関係者は、任意の場所で開錠することができてしまい、安全性が高いとはいえない。
【０００６】
本発明は、このような問題に鑑みてなされたもので、その目的とするところは、安全性を向上させた移動体のためのＧＰＳ機能付鍵システム等を提供することである。
【課題を解決するための手段】
【０００７】
前述した目的を達成するために、第１の発明は、ＧＰＳ機能を持つ錠を有する移動体と、位置情報入力装置とからなるＧＰＳ機能付鍵システムであって、前記位置情報入力装置は、前記移動体の前記錠の開錠を許可する位置を示す登録位置情報を入力する手段と、前記登録位置情報を前記錠に送る手段と、を具備し、前記錠は、前記登録位置情報を保持する手段と、ＧＰＳ衛星からの信号を受信し、現在位置情報を計算する手段と、前記現在位置情報と前記登録位置情報とが、ＧＰＳの誤差の範囲内で一致する場合、開錠を許可する手段と、を具備することを特徴とするＧＰＳ機能付鍵システムである。第１の発明によって、不正な場所で移動体を開錠することを防止することができる。特に、錠が登録位置情報を保持する手段を備えることで、開錠処理では他の装置と登録位置情報の送受信を行う必要がなく、安全である。
【０００８】
前記位置情報入力装置は、例えば、緯度、経度を入力することにより前記登録位置情報を入力する。また、記位置情報入力装置は、例えば、地図データを表示し、前記地図データ上で指定された位置を登録位置情報として入力する。これによって、ユーザは、地図データを確認しながら、登録位置情報を入力することができる。
【０００９】
第２の発明は、移動体のＧＰＳ機能付錠であって、位置情報入力装置から受信した開錠を許可する位置を示す登録位置情報を保持する手段と、ＧＰＳ衛星からの信号を受信し、現在位置情報を計算する手段と、前記現在位置情報と前記登録位置情報とが、ＧＰＳの誤差の範囲内で一致する場合、開錠を許可する手段と、を具備することを特徴とするＧＰＳ機能付錠である。第２の発明によって、不正な場所で移動体を開錠されないＧＰＳ機能付錠を提供することができる。
【発明の効果】
【００１０】
本発明により、安全性を向上させた移動体のためのＧＰＳ機能付鍵システム等を提供することができる。
【図面の簡単な説明】
【００１１】
【図１】本発明に係るＧＰＳ機能付鍵システム１の概要を示す図
【図２】移動体３の錠５のハードウエア構成の一例を示す図
【図３】移動体３の錠５のメモリ２３の詳細を示す図
【図４】位置情報入力装置７のハードウエア構成の一例を示す図
【図５】ＧＰＳ機能付鍵システム１における移動体３の錠５の施錠の処理を示すフローチャート
【図６】ＧＰＳ機能付鍵システム１における移動体３の錠５の開錠の処理を示すフローチャート
【発明を実施するための形態】
【００１２】
以下、図面に基づいて本発明に係るＧＰＳ機能付鍵システムの実施形態を詳細に説明する。
最初に、図１、２、３、４を参照しながら、本発明に係るＧＰＳ機能付鍵システム１について説明する。
図１は、本発明に係るＧＰＳ機能付鍵システム１の概要を示す図、図２は、移動体３の錠５のハードウエア構成の一例を示す図、図３は、移動体３の錠５のメモリ２３の詳細を示す図、図４は、位置情報入力装置７のハードウエア構成の一例を示す図である。
【００１３】
図１に示すように、ＧＰＳ機能付鍵システム１は、個人情報や機密情報等を記憶したメディアを格納したジュラルミンケース、現金輸送用ケース、旅行用スーツケース等の移動体３を責任者が監視していない場所で不正に開くことを防止するもので、移動体３は、ＧＰＳ機能を持つ錠５を有する。また、ＧＰＳ機能付鍵システム１は、移動体３の錠５に位置情報を入力するための位置情報入力装置７、移動体３の錠５を開錠するための鍵９、移動体３の錠５に現在位置を送信するＧＰＳ衛星１１を有する。
移動体３の錠５を施錠するとき、位置情報入力装置７を用いて、錠５を開くことを許可する位置を登録する。移動体３の錠５は鍵９を用いて開錠するが、その際、錠５はＧＰＳ衛星１１から現在の位置を取得し、錠５を開くことを許可するために登録した位置と現在の位置が一致するかどうか確認する。一致した場合は開錠し、一致しない場合は開錠しない。尚、現在の位置が登録した位置と一致したかどうかは、ＧＰＳ機能の誤差を考慮して判断する。
【００１４】
図２に示すように、移動体３の錠５は、制御部２１、ＧＰＳ機能部２２、メモリ２３、表示部２４、音声出力部２５、インタフェース部２６等を有する。
制御部２１は、錠５の全体の動作を制御するもので、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、ＲＯＭ等に格納されるプログラムをＲＡＭ上のワークメモリ領域に呼び出して実行し、ＧＰＳ機能付鍵システム１が行う後述する処理（図５、６等参照）を実現する。
ＲＯＭは、不揮発性メモリであり、ＣＰＵが実行するプログラム、データ等を恒久的に保持している。
ＲＡＭは、揮発性メモリであり、ＲＯＭ等からロードしたプログラム、データ等を一時的に保持するとともに、制御部２１が各種処理を行う為に使用するワークエリアを備える。
ＧＰＳ機能部２２は、制御部２１の指示によりＧＰＳ衛星１１からの電波を受信し、現在の位置情報を計算する。得られる位置情報は、緯度、経度である。
【００１５】
メモリ２３は、錠５の開錠処理に必要となるデータを保持する。
図３に示すように、メモリ２３は、鍵ＩＤ３１、登録緯度３２、登録経度３３等を有する。
鍵ＩＤ３１は、鍵９を示すＩＤである。
登録緯度３２、登録経度３３は、錠５の開錠を許可する位置の緯度、経度を示すもので、錠５を施錠する際、位置情報入力装置７により入力される。
錠５のメモリ２３に登録緯度３２、登録経度３３を記憶することで、錠５の開錠処理では、他の装置と登録緯度３２、登録経度３３の送受信を行う必要がなく、安全である。
【００１６】
表示部２４は、液晶パネル等の表示装置で、位置情報入力装置７により錠５の開錠を許可する位置情報を入力したときに、入力された位置情報を表示したり、錠５の開錠時にエラーメッセージ等を表示したりする。表示部２４への登録した位置情報の表示は、安全性のため、位置情報入力装置７により入力されたときに限る。
音声出力部２５は、通知音や警告音等を出力する装置である。例えば、位置情報入力装置７により錠５に開錠を許可する位置情報を入力したとき、「ピピ」というような通知音を出力したり、位置情報入力装置７により登録された位置以外で錠５を開錠しようとしたとき、「ピッピー」というような警告音を出力したりするようにしてもよい。
錠５は、表示部２４及び音声出力部２５の両方を備える必要はなく、いずれか一方を備えればよい。
インタフェース部２６は、錠５を位置情報入力装置７、鍵９等と接続して通信を行う。
【００１７】
位置情報入力装置７は、移動体３の錠５に開錠を許可する位置情報を入力する装置で、移動体３の錠５との接続は、有線でも無線でもよい。また、位置情報入力装置７は、移動体３に付属する形態でもよい。
位置情報入力装置７は、制御部４１、入力部４２、表示部４３、インタフェース部４４等を有する。
【００１８】
制御部４１は、位置情報入力装置７全体の動作を制御するもので、ＣＰＵ、ＲＯＭ、ＲＡＭ等で構成される。
ＣＰＵは、ＲＯＭ等に格納されるプログラムをＲＡＭ上のワークメモリ領域に呼び出して実行し、位置情報入力装置７が行う処理を実現する。
ＲＯＭは、不揮発性メモリであり、ＣＰＵが実行するプログラム、データ等を恒久的に保持している。
ＲＡＭは、揮発性メモリであり、ＲＯＭ等からロードしたプログラム、データ等を一時的に保持するとともに、制御部４１が各種処理を行う為に使用するワークエリアを備える。
【００１９】
入力部４２は、移動体３の錠５の開錠を許可する位置情報を入力するもので、キーボード、タッチパネル等の入力装置を有する。
表示部４３は、液晶パネル等の表示装置である。
入力部４２がキーボードの形式の場合、位置情報は緯度、経度の数字を入力して指定する。入力部４２がタッチパネルの形式の場合、例えば、表示部４３に地図データを表示し、表示部４３の画面上で移動体３の錠５の開錠を許可する位置をタッチすることにより位置情報を入力するようにしてもよい。
インタフェース部４４は、錠５等と接続し、通信を行う。
【００２０】
鍵９は、通常の物理的な鍵の形式でもよいし、ＩＣカード（Ｉｎｔｅｇｒａｔｅｄ  Ｃｉｒｃｕｉｔ）の形式でもよい。
安全性を高めるため、移動体３の錠５を開錠するときに暗証番号等を入力するようにしてもよいし、利用者の指紋等の生体情報等を記録し、生体認証を行うようにしてもよい。
【００２１】
次に、図５、６を参照しながら、本発明に係るＧＰＳ機能付鍵システム１の実施形態について詳細に説明する。
図５は、ＧＰＳ機能付鍵システム１における移動体３の錠５の施錠の処理を示すフローチャート、図６は、ＧＰＳ機能付鍵システム１における移動体３の錠５の開錠の処理を示すフローチャートである。
【００２２】
移動体３の錠５を施錠する際、位置情報入力装置７により利用者は錠５の開錠を許可する位置情報を入力する（ステップＳ１０１）。
例えば、移動体３を支店等に輸送する場合、その支店の緯度、経度を指定する。位置情報入力装置７の入力部４２がキーボードの形式の場合、その支店の緯度と経度を検索し、緯度、経度を数字で入力する。位置情報入力装置７の入力部４２がタッチパネルの形式の場合、その支店の近辺の地図データを表示部４３に表示し、ＧＵＩ（Ｇｒａｐｈｉｃａｌ  Ｕｓｅｒ  Ｉｎｔｅｒｆａｃｅ）によりその支店の場所をタッチして、位置情報を入力する。
また、安全性を高めるため、位置情報入力装置７により位置情報を入力する前に暗証番号等の入力を要求し、利用者の認証を行うようにしてもよい。
【００２３】
位置情報入力装置７は、移動体３の錠５と通信し、入力された位置情報を送る（ステップＳ１０２）。
移動体３の錠５は、位置情報入力装置７から受信した位置情報をメモリ２３の登録緯度３２、登録経度３３に記憶する（ステップＳ１０３）。
このとき、錠５の制御部２１は、確認のために登録緯度３２、登録経度３３を表示部２４に表示するようにしてもよいし、あるいは、音声出力部２５により「ピピ」等の通知音を出力するようにしてもよい。
【００２４】
移動体３の錠５を開錠する場合、利用者が鍵９を用いて錠５を開錠しようとすると、錠５の制御部２１は、ＧＰＳ機能部２２によりＧＰＳ衛星１１からの電波を受信し、現在の位置を計算する（ステップＳ２０１）。
利用者が鍵９により錠５を開錠しようとする際、暗証番号等の入力を要求するようにしてもよいし、鍵９がＩＣカードの場合は、ＩＣカードに記憶した生体情報を用いて生体認証を行うようにしてもよい。
【００２５】
移動体３の錠５の制御部２１は、計算した現在位置情報と、メモリ２３の登録緯度３２、登録経度３３を比較し、一致するかどうか判定する（ステップＳ２０２）。ただし、ＧＰＳの誤差を許容する範囲で一致するかどうかを判定する。
現在位置情報と登録した位置情報が一致した場合、錠５の制御部２１は開錠するが（ステップＳ２０３）、一致しない場合は開錠しない（ステップＳ２０４）。一致しない場合、錠５の制御部２１は音声出力部２５により、例えば「ピッピー」という警告音を出力するようにしたり、表示部２４にエラーメッセージを表示したりするようにしてもよい。
【００２６】
以上説明したように、本発明に係るＧＰＳ機能付鍵システムでは、移動体の施錠時に開錠を許可する場所の位置情報を錠のメモリに記憶させ、移動体の開錠時にＧＰＳ機能により現在位置を取得し、登録された位置情報と現在位置情報を比較することにより、移動体を開錠してよいかを判定する。これにより、移動体を盗難された場合、例え移動体と一緒に鍵を盗んだり、暗証番号を盗んだりしていても開錠することはできず、安全性が向上する。また、移動体を発送者が意図しない場所で開錠することも不可能となる。
【００２７】
以上、添付図面を参照しながら、本発明に係るＧＰＳ機能付鍵システム等の好適な実施形態について説明したが、本発明は係る例に限定されない。当業者であれば、本願で開示した技術的思想範疇内において、各種の変更例又は修正例に想到し得ることは明らかであり、それらについても当然に本発明の技術的範囲に属するものと了解される。
【符号の説明】
【００２８】
１………ＧＰＳ機能付鍵システム
３………移動体
５………錠
７………位置情報入力装置
９………鍵
１１………ＧＰＳ衛星
【図１】
2011074597.tif 000003
【図２】
2011074597.tif 000004
【図３】
2011074597.tif 000005
【図４】
2011074597.tif 000006
【図５】
2011074597.tif 000007
【図６】
2011074597.tif 000008